(57)【要約】
【課題】　ミキサから出力される中間周波信号が、発振器制御用のＰＬＬ回路に基準信号を供給するクリスタル発振子の高調波等によって妨害を受けないようにする。
【解決手段】　金属枠体１の内部を第一の側板１ａ側とそれに対向する第二の側板１ｂ側とに２分するシールド板２によって第一の側板１ａ側に第一の区画領域３を設けると共に第二の側板１ｂ側に第二の区画領域４を設け、第一の区画領域３には分配器１３を配設し、第二の区画領域４に配設されるチューナ部は少なくともテレビジョン信号を中間周波信号に変換するためのミキサ回路１４ｅと、ミキサ回路１４ｅに発振信号を供給する発振器１４ｄと、発振器１４ｄの発振周波数を制御するＰＬＬ回路１４ｆとを有し、ＰＬＬ回路１４ｆに基準信号を供給するためのクリスタル発振子１４ｇを第一の区画領域３内に配設した。
【選択図】　　　　図１
0003100214.tif 000002
【実用新案登録請求の範囲】
【請求項１】
入力されたテレビジョン信号を２分配する分配器を少なくとも有する分配部と、分配された一方のテレビジョン信号を周波数変換して中間周波信号を出力するチューナ部と、四つの側板を有し、その内部に前記分配部と前記チューナ部とを構成する方形の金属枠体とを備え、前記金属枠体の内部を第一の側板側とそれに対向する第二の側板側とに２分するシールド板によって前記第一の側板側に第一の区画領域を設けると共に前記第二の側板側に第二の区画領域を設け、前記第一の区画領域には前記分配器を配設し、前記第二の区画領域に配設される前記チューナ部は少なくとも前記テレビジョン信号を前記中間周波信号に変換するためのミキサ回路と、前記ミキサ回路に発振信号を供給する発振器と、前記発振器の発振周波数を制御するＰＬＬ回路とを有し、前記ＰＬＬ回路に基準信号を供給するためのクリスタル発振子を前記第一の区画領域内に配設したことを特徴とするテレビジョンチューナ。
【請求項２】
第三の側板には前記第一の区画領域に対応する位置に前記テレビジョン信号を入力する第一のコネクタを取り付けると共に、前記第一の側板又は第四の側板における前記第一の区画領域に対応する位置に前記分配器によって分配された他方のテレビジョン信号を出力する第二のコネクタを取り付けたことを特徴とする請求項１に記載のテレビジョンチューナ。
【考案の詳細な説明】
【技術分野】
【０００１】
　本考案は、入力されたテレビジョン信号を分配すると共に、分配されたテレビジョン信号を外部に取り出すようにしたテレビジョンチューナに関する。
【背景技術】
【０００２】
　従来のテレビジョンチューナを図２を参照して説明する。図２はテレビジョンチューナを構成する各ブロックの配置を示す平面図である。方形の金属枠体２１は四つの側板を有し、その内部はシールド板２４によって四つの区画室２５〜２８に分割されている。そして、区画室２５には分配部、区画室２６にはチューナ部、区画室２７には復調部、区画室２８には切り替え部、変調部が収納されている。これらの各回路部、すなわち分配部、チューナ部、復調部、切り替え部および変調部は通常一枚のプリント基板上に配設されている。
【０００３】
　テレビジョン信号が入力される入力コネクタ２２と、分配部によって分配されたテレビジョン信号を出力する出力コネクタ２３とはケース２１の短側板２９に取り付けられている。また、短側板２９に隣接する長側板の一方３０から各回路部に供給する電源や信号の入出力のための外部端子群３１〜３３が突出している。分配部と切り替え部、変調部はそれぞれ入力コネクタ２２と出力コネクタ２３に対応した位置で短側板２９に沿った区画室２５、２８に配設されている。外部端子群３１は切り替え部、変調部が配設された区画室２８内のプリント基板に取り付けられている。
【０００４】
　区画室２５に配設される分配部は入力されたテレビジョン信号を２分配してその一方をチューナ部に入力し、他方を切替部に入力する。チューナ部は入力されたテレビジョン信号を中間周波信号に変換して復調部に送る。復調されたビデオ信号等は端子群３１を介して図示しない録画再生装置等に出力される。また、分配部から出力された他方のテレビジョン信号は切り替え部に入力される。
【０００５】
　一方、録画再生装置等からのビデオ信号等は端子群３１を介して変調部に入力されてＲＦ信号に変換され、切り替え部に入力される。切り替え部は、再生時には変調部からのＲＦ信号を出力コネクタ２３に出力する。出力コネクタ２３に他のテレビジョンチューナを接続することでテレビ（図示せず）で再生画を視聴することができる。一方、再生画を視聴しないときは切替部は分配出力を出力コネクタ２３に出力する。従って、テレビでは受信したテレビジョン信号を視聴できる（例えば、特許文献１参照。）。
【０００６】
【特許文献１】特開平１０−３２５１４号公報（図９）
【０００７】
　そして、区画室２６に配設されるチューナ部の構成は図３に示すように、テレビジョン信号（ＲＦ）が入力される入力同調回路４０と、その次段に設けられた高周波増幅器４１と、その次段に設けられた段間同調回路４２と、その次段に設けられたミキサ回路４３と、ミキサ回路４３に発振信号を供給する発振器４４と、発振器４４の発振周波数を制御するＰＬＬ回路４５と、クリスタル発振子４７が接続されて基準周波数で発振した基準信号をＰＬＬ回路４５に供給する基準発振器４６とを有する。そして、ミキサ回路４３から中間周波信号（ＩＦ）が出力される。中間周波信号は端子３２に供給される。
【考案の開示】
【考案が解決しようとする課題】
【０００８】
　上記のテレビジョンチューナでは、チューナ部が構成される区画室内にＰＬＬ回路に基準信号を供給するためのクリスタル発振子も配設されるので、クリスタル発振子の高調波によって中間周波信号が妨害を受けるという問題がある。
【０００９】
　本考案は、ミキサから出力される中間周波信号が、発振器制御用のＰＬＬ回路に基準信号を供給するクリスタル発振子の高調波等によって妨害を受けないようにすることを目的とする。
【課題を解決するための手段】
【００１０】
　上記課題を解決する手段として、入力されたテレビジョン信号を２分配する分配器を少なくとも有する分配部と、分配された一方のテレビジョン信号を周波数変換して中間周波信号を出力するチューナ部と、四つの側板を有し、その内部に前記分配部と前記チューナ部とを構成する方形の金属枠体とを備え、前記金属枠体の内部を第一の側板側とそれに対向する第二の側板側とに２分するシールド板によって前記第一の側板側に第一の区画領域を設けると共に前記第二の側板側に第二の区画領域を設け、前記第一の区画領域には前記分配器を配設し、前記第二の区画領域に配設される前記チューナ部は少なくとも前記テレビジョン信号を前記中間周波信号に変換するためのミキサ回路と、前記ミキサ回路に発振信号を供給する発振器と、前記発振器の発振周波数を制御するＰＬＬ回路とを有し、前記ＰＬＬ回路に基準信号を供給するためのクリスタル発振子を前記第一の区画領域内に配設した。
【００１１】
　また、第三の側板には前記第一の区画領域に対応する位置に前記テレビジョン信号を入力する第一のコネクタを取り付けると共に、前記第一の側板又は第四の側板における前記第一の区画領域に対応する位置に前記分配器によって分配された他方のテレビジョン信号を出力する第二のコネクタを取り付けた。
【考案の効果】
【００１２】
　以上のように、金属枠体の内部を第一の側板側とそれに対向する第二の側板側とに２分するシールド板によって前記第一の側板側に第一の区画領域を設けると共に前記第二の側板側に第二の区画領域を設け、第一の区画領域には分配器を配設し、第二の区画領域に配設されるチューナ部は少なくともテレビジョン信号を前記中間周波信号に変換するためのミキサ回路と、ミキサ回路に発振信号を供給する発振器と、発振器の発振周波数を制御するＰＬＬ回路とを有し、ＰＬＬ回路に基準信号を供給するためのクリスタル発振子を第一の区画領域内に配設したので、クリスタル発振子の高調波等がチューナ部を構成する第二の区画室に入りにくくなり、中間周波信号が妨害を受けにくくなる。
【００１３】
　また、第三の側板には第一の区画領域に対応する位置にテレビジョン信号を入力する第一のコネクタを取り付けると共に、第一の側板又は第四の側板における第一の区画領域に対応する位置に分配器によって分配された他方のテレビジョン信号を出力する第二のコネクタを取り付けたので、他のテレビジョンチューナを共に使用する場合に第二のコネクタと他のテレビジョンチューナのコネクタとの接続が容易となる。
【考案を実施するための最良の形態】
【００１４】
　図１に本考案のテレビジョンチューナを示す。図１はテレビジョンチューナを構成する各ブロックの配置を示す平面図である。方形の金属枠体１の内部には第一の側板１ａとそれに対向する第二の側板１ｂとに平行で第三の側板１ｃと第四の側板１ｄとを橋絡する第一のシールド板２が設けられ、金属枠体１はこの第一のシールド板２によって第一の側板１ａ側の第一の区画領域３と、第二の側板１ｂ側の第二の区画領域４とに２分される。
【００１５】
　また、第一のシールド板２と第二の側板１ｂとを橋絡する第二のシールド板５と、第一のシールド板２と第四の側板１ｄとを橋絡するＬ型の第三のシールド板６とによって、第二の区画領域４は、第三の側板１ｃと第二のシールド板５とに挟まれた第一の区画室７と、第二のシールド板５と第三のシールド板６とに挟まれた第二の区画室８と、第一のシールド板２と第三のシールド板６と第四の側板１ｄとによって囲まれた第三の区画室９とに３分される。
【００１６】
　なお、金属枠体１内には上記のシールド板２、５、６を立設すると共に第一の区画領域３及び第二の区画領域４（第一乃至第三の区画室７〜９）内に各種の回路を構成するための回路基板（図示せず）が収納される。
【００１７】
　第三の側板１ｃには第一の区画領域３に対応する位置にテレビジョン信号が入力される第一のコネクタ（例えばＦ型同軸コネクタ）１０が取り付けられ、第三の側板１ｄにはテレビジョン信号を出力する第二のコネクタ（例えば同軸型のピンプラグ）１１が取り付けられる。第二のコネクタ１１は第一の側板１ａに取り付けても良い。さらに、第二の側板１ｂには複数の端子１２がほぼ等間隔で列状に取り付けられている。
【００１８】
　第一のコネクタ１０が第一の区画領域３に対応する位置に取り付けられる理由は、端子１２がテレビジョン受信機のマザー基板（図示せず）に取り付けられた際の第一のコネクタ１０の高さ（第二の側板１ｂからの高さ）をある程度確保するためである。また、第二のコネクタ１を第一の側板１ａ又は第一のコネクタ１０が取り付けられた第三の側板１ｃに対向した第四の側板１ｄに取り付ける理由は、他のテレビジョンチューナを併設してマザー基板（図示せず）に取り付けた場合の互いの接続をし易くするためである。
【００１９】
　第一の区画領域３には入力されたテレビジョン信号を２分配する分配部１３が構成される。分配部１３は入力されたテレビジョン信号を増幅する第一の広帯域増幅器１３ａと、増幅されたテレビジョン信号を２分配する分配器（例えば、分配トランスで構成される）１３ｂと、分配された一方のテレビジョン信号を増幅する第二の広帯域増幅器１３ｃと、分配された他方のテレビジョン信号を増幅する第三の広帯域増幅器１３ｄとを有するが、第一の広帯域増幅器１３ａ乃至第三の広帯域増幅器１３ｄは必ずしも必要ではない。しかし、分配器１３ｂの前段に設けられる第一の広帯域増幅器１３ａは分配ロスによるＮＦ（雑音指数）の悪化を軽減するためには有効となる。
　このうち、第一の広帯域増幅器１３ａは第一のコネクタ１０に近接した位置に配設され、分配器１３ｂは第一の広帯域増幅器１３ａに隣接した位置で第四の側板１ｄ側に配設される。
【００２０】
　また、第二の広帯域増幅器１３ｃは分配器１３ｂに隣接した位置で第一のシールド板２側に配設され、第三の広帯域増幅器１３ｄは分配器１３ｂに隣接した位置で第四の側板１ｄ側に配設される。そして、第二のコネクタ１１は第三の広帯域増幅器１３ｄに対応する第一の側板１ａ上の位置に取り付けられる。
【００２１】
　第二の区画領域４にはチューナ部１４が構成される。チューナ部１４は入力同調回路１４ａ、高周波増幅器１４ｂ、段間同調回路１４ｃ、発振器１４ｄ、ミキサ回路１４ｅ、ＰＬＬ回路１４ｆ等を有する。入力同調回路１４ａはＵＨＦ帯用の同調回路とＶＨＦ帯用の同調回路とを含み、第一の区画室７内に設けられるが、第二の広帯域増幅器１３ｃに対応した位置に配設される。また、高周波増幅器１４はＵＨＦ帯用とＶＨＦ帯用との２回路を有し、第二のシールド板５の位置（回路基板の裏面）に配設される。また、段間同調回路１４ｃもＵＨＦ帯用の同調回路とＶＨＦ帯用の同調回路とを含み、第二の区画室８における第二のシールド板５側の半分の領域に配設される。また、発振器１４ｄは第三の区画室９内に配設され、ミキサ回路１４ｅは第二の区画室８における第四の側板１ｄ側の半分の領域に配設される。
【００２２】
　ＰＬＬ回路１４ｆには基準信号が入力されるが、基準信号を作るためのクリスタル発振子１４ｇは第一の区画領域３内に配設される。
【００２３】
　以上の構成において、第一のコネクタ１０から第一の広帯域増幅器１３ａに入力されたテレビジョン信号は増幅されて分配器１３ｂによって２分配され、その一方は第二の広帯域増幅器１３ｃを介して第一の区画室７内の入力同調回路１４ａに入力される。そして、高周波増幅器１４ｂ、段間同調回路１４ｃを介してミキサ回路１４ｅに入力され、発振信号との混合によって最終的にミキサ回路１４ｅで中間周波信号に変換されて端子１２から出力される。そして、クリスタル発振子１４ｇが第一の規格領域３内に配設されていることから、その高調波によって中間周波信号に妨害を及ぼすことが避けられる。分配器１３ｂで分配された他方のテレビジョン信号は第三の広帯域増幅器１３ｄを介して第二のコネクタ１１から出力され、他のテレビジョンチューナに入力される。
【００２４】
　以上の構成では、分配器１３ｂで２分配されたテレビジョン信号の一方は第一のシールド板２で隔離された第一の区画領域４に出力され、他方のテレビジョン信号は第一の側板１ａに取り付けられた第二のコネクタに入力されるので、分配後のテレビジョン信号は互いに逆方向に出力され互いの干渉は無くなる。また、分配後はそれぞれのテレビジョン信号が広帯域増幅器を通過するのでそれらの出力端での干渉が一層少なくなりアイソレーションの確保が容易である。
【図面の簡単な説明】
【００２５】
【図１】本考案のテレビジョンチューナの内部のブロック配置を示す平面図である。
【図２】従来のテレビジョンチューナの内部のブロック配置を示す平面図である。
【図３】従来のテレビジョンチューナにおけるチューナ部のブロック構成図である。
【符号の説明】
【００２６】
　１：金属枠体
　１ａ：第一の側板
　１ｂ：第二の側板
　１ｃ：第三の側板
　１ｄ：第四の側板
　２：第一のシールド板
　３：第一の区画領域
　４：第二の区画領域
　５：第二のシールド板
　６：第三のシールド板
　７：第一の区画室
　８：第二の区画室
　９：第三の区画室
　１０：第一のコネクタ
　１１：第二のコネクタ
　１２：端子
　１３：分配部
　１３ａ：第一の広帯域増幅器
　１３ｂ：分配器
　１３ｃ：第二の広帯域増幅器
　１３ｄ：第三の広帯域増幅器
　１４：チューナ部
　１４ａ：入力同調回路
　１４ｂ：高周波増幅器
　１４ｃ：段間同調回路
　１４ｄ：発振器
　１４ｅ：ミキサ回路
　１４ｆ：ＰＬＬ回路
　１４ｇ：クリスタル発振子
【図１】
0003100214.tif 000003
【図２】
0003100214.tif 000004
【図３】
0003100214.tif 000005